(57)【特許請求の範囲】
【請求項１】
先細テーパ筒状のガイド部材(3)のクッション材導入口(4)から先端のクッション材送出口(5)に向けてクッション材(1)を押し込んでクッション材送出口(5)の口先にセットした袋状の表皮材の内部にクッション材を充填するようにしたクッション用表皮材の被覆装置において、前記ガイド部材(3)はその片側面の先方部分が導入口側の固定部(7b)にヒンジ(8)を介して回動板部(7a)が外開き可能に枢着され、表皮材の端部は前記回動板部(7a)上の送出口(5)端よりヒンジ(8)に近い側に装着され、クッション材導入口(4)から押し込まれるクッション材(1)がその前進にともない拡開される回動板部(7a)の案内下に、表皮材の内面と直接接触することなくその内部に押し込まれ充填されるようにしたことを特徴とするクッション用表皮材の被覆装置。
【請求項２】
ガイド部材(3)が横置式で、その上側面が固定部(7b)と回動板部(7a)とよりなり、外開きされた回動板部(7a)が自重により旧状に復帰されるものである請求項１に記載のクッション用表皮材の被覆装置。
【発明の詳細な説明】
【０００１】
【発明の属する技術分野】
本発明は、クッション材の外表面に袋状の表皮材を傷つけたり位置ずれを生じることなく効率的に被覆できるクッション用表皮材の被覆装置に関するものである。
【０００２】
【従来の技術】
例えば、自動車用のヘッドレストやシートバッグ等においてはクッション材の外表面に表皮材が被せられているのが普通であり、この表皮材の被覆方法として、裏返しにした袋状表皮材を手作業によりクッション材に対して反転しつつ被覆することが行なわれていたが、このような手作業は煩雑であり多大の労力と時間を要するという問題点があった。
【０００３】
そこで、本件出願人は上記の手作業を自動化して作業の効率化を図ることを目的として、先細テーパ筒状のガイド部材と該ガイド部材内へクッション材を押し込む押込治具と表皮材をガイド部材に固定するクランプ治具とからなるクッション用表皮材の被覆装置を開発し、先に実用新案登録第２５６０４４１号として提案した。しかしながら、この装置によるときは、クッション材が表皮材とこすれることによる位置ずれや皺が発生する場合があるという問題点があり、また、表皮材をクランプ治具で固定するため、クランプ圧の微妙な調整セットに時間を要するとともに、装置自体も複雑になるという問題点が残されていた。
【０００４】
【発明が解決しようとする課題】
本発明は上記のような従来の問題点を解決して、クッション材に袋状の表皮材を裏返しすることなく、また、特別なクランプ治具を用いなくても簡単に被覆できるうえに表皮材を傷つけたり位置ずれや皺を生じさせることなく正確に位置合わせして被覆することができ、しかも、コンパクトで狭い場所にも設置することができるうえ、セット時間も短くて優れた生産性を発揮することができるクッション用表皮材の被覆装置を提供することを目的として完成されたものである。
【０００５】
【課題を解決するための手段】
上記の課題を解決するためになされた本発明のクッション用表皮材の被覆装置は、先細テーパ筒状のガイド部材のクッション材導入口から先端のクッション材送出口に向けてクッション材を押し込んでクッション材送出口の口先にセットした袋状の表皮材の内部にクッション材を充填するようにしたクッション用表皮材の被覆装置において、前記ガイド部材はその上面の先方部分が導入口側の固定部にヒンジを介して回動板部が外開き可能に枢着され、表皮材の端部は前記回動板部上の送出口端よりヒンジに近い側に装着され、クッション材導入口から押し込まれるクッション材がその前進にともない拡開される回動板部の案内下に、表皮材の内面と直接接触することなくその内部に押し込まれ充填されるようにしたことを特徴とするものである。
【０００６】
【発明の実施の形態】
以下に、図面を参照しつつ本発明の好ましい実施の形態を示す。
図中１は自動車用ヘッドレストのクッション材、１ａはヘッドレストステー、２はクッション材１に被覆される袋状の表皮材、３はこの表皮材２の内部へクッション材１を充填被覆するためのガイド部材である。
【０００７】
前記のガイド部材３は両端が開口された先細テーパ筒状のものであり、その一端はクッション材１の外径にほぼ等しい開口径を有するクッション材導入口４に形成される一方、他端はクッション材１の外径よりも小さい開口径を有してクッション材導入口４から導入されたクッション材１を圧縮した状態で袋状の表皮材２の内部へ送出するためのクッション材送出口５が形成されている。そして、このガイド部材３は横置式としてその前記クッション材導入口４に臨む位置にはクッション材導入口４からガイド部材３内へクッション材１を押し込んでクッション材送出口５より押し出すための押込治具６が配設されている。なお、この実施例では押込治具６としてシリンダ６ａおよびロッドの先端に取り付けた押込プレート６ｂとよりなり、これらによってヘッドレストステー１ａを押すことでクッション材１をクッション材導入口４からガイド部材３内へ押し込むよう構成されている。
【０００８】
ところで、前記ガイド部材３は先細テーパ筒状となるよう上面が前下がりに配置されており、この上面は入口側の略半分の固定部７ｂの先端に出口側の回動板部７ａを両者を連結するヒンジ８により外向きに拡開可能に枢着されたものとなっている。そして、クッション材導入口４から押込治具６により押し込まれるクッション材１は進行にともない自身の弾発復元力で回動板部７ａを拡開しつつ、回動板部７ａ自身を案内として表皮材２の内部に円滑且つ確実に充填されるよう構成されている。
【０００９】
このように構成されたものは、図１に示されるように、袋状の表皮材２の開口部を先細テーパとなったガイド部材３の先端外側すなわちクッション材送出口５側より嵌めたうえ必要に応じ仮止めするなどして装着したうえ、ガイド部材３のクッション材導入口４側の所定位置にクッション材１をセットする。この時、ガイド部材３の先端外側は先細となっているため袋状の表皮材２の装着は極めて容易に行うことができ、また、ガイド部材３のクッション材導入口４は広口のためクッション材１のセットも簡単に行なうことができる。
【００１０】
次に、図２に示されるように、押込治具６のシリンダ６ａを前進作動させると、クッション材１は押込プレート６ｂに押されてクッション材導入口４から円滑に先細テーパ筒状のガイド部材３内に導入されたうえ、該ガイド部材３に周囲が均等に圧縮されつつクッション材送出口５側へ移動してゆく。そして、クッション材１が中間部に到達すると、クッション材１の弾力により上面の先方部分の回動板部７ａがヒンジ８を介して出口側が上方へ拡開されるように回動し、更に、シリンダ６ａの前進作動を続けると、図３に示されるように、回動板部７ａはクッション材１により更に拡開され、これに伴い袋状の表皮材２が更に大きく開口が開かれて膨らまされた状態でクッション材１の充填が行われることとなる。この間、クッション材１はガイド部材３に案内されつつ袋状の表皮材２内に押し込まれ、表皮材２の内面と直接に接触することがないので、両者間の位置ずれや破れ等を生じることがなく正確に位置合わせした状態で被覆することができる。また、表皮材２も拡開する回動板部７ａにより均一に膨らまされた状態となっているので、皺を発生させることもなく外観品質に優れた製品を生産できることとなる。
【００１１】
そして、最終的には図４に示されるように、クッション材１が袋状の表皮材２の内部へ正確に位置決めされつつ完全に装入されることとなり、その後は通常の手段により仕上げられて完成品とされ、以下、同様の手順により連続的に生産が行なわれる。なお、前記回動板部７ａは内部にクッション材１が存在しない場合は、自重によってヒンジ８を中心にクッション材送出口５側を落下するよう回動し、再び先細テーパ筒状のガイド部材３を形成するので、次に表皮材２を嵌め込んで装着する作業も極めて容易に行えることとなる。
【００１２】
なお、前記した実施の形態では、ガイド部材４を横置式としてその上側面が固定部７ｂと回動板部７ａとよりなり、外開きされた回動板部７ａは特別な復帰装置を付設しなくても自重により旧状に復帰されるようにしているが、ガイド部材４を縦置式としてその一側面が固定部と回動板部とよりなるものとし、外開きされた回動板部はバネなどの弾性部材により旧状に復帰されるようにしてもよいことは勿論である。
【００１３】
このように、本発明においては袋状の表皮材２をクッション材１へ反転することなく正確な位置合わせが行なわれつつ被覆できるうえに、クッション材１は周囲がガイド部材３により均等に圧縮されつつ袋状の表皮材２の内部へ装入されるとともに、クッション材１の充填に伴い表皮材２の内面と直接に接触することがないので表皮材２が損傷することがなく、しかも表皮材２の縫い線とクッション材１のコーナー部との位置ずれを生じることもなく、優れた外観品質の製品を提供することができることとなる。
【００１４】
【発明の効果】
以上の説明からも明らかなように、本発明はクッション材に袋状の表皮材を裏返しすることなく、また、特別なクランプ治具を用いなくても簡単に被覆できるうえに表皮材を傷つけることもなく、しかも、位置ずれや皺を生じることがなく正確に位置合わせして被覆することができ、更には、コンパクトな装置として狭い場所にも設置することができ、また、セット時間も短く優れた生産性を発揮することができる等の種々の効果を有するものである。
よって本発明は従来の問題点を一掃したクッション用表皮材の被覆装置として、産業の発展に寄与するところは極めて大である。
【図面の簡単な説明】
【図１】本発明の実施例を示す一部切欠正面図である。
【図２】図１の作動工程を示す一部切欠正面図である。
【図３】図１の作動工程を示す一部切欠正面図である。
【図４】図１の作動工程を示す一部切欠正面図である。
【符号の説明】
１  クッション材
２  袋状の表皮材
３  ガイド部材
４  クッション材導入口
５  クッション材送出口
６  押込治具
7a  回動板部
7b  固定部
８  ヒンジ
【図１】
0003733723.tif 000002
【図２】
0003733723.tif 000003
【図３】
0003733723.tif 000004
【図４】
0003733723.tif 000005